(57)【要約】【課題】デジタル放送を受信するＤＴＶボードの動画検査を可能にするビデオ検査システムを提供する。【解決手段】動画データを含むデータストリームを送出する送出手段と、データストリームをデコードしてビデオデータを出力する検査対象のデコーダボードと、前記デコーダボードを検査するための検査装置からなる動作検査システムであって、検査装置が、ビデオデータに対して所定の演算処理を施す演算手段と、演算結果の期待値を格納する記憶手段と、前期演算結果と前記記憶手段から読み出した期待値を比較する比較手段と、比較結果に基づき良否判定を表示する判定表示手段とを備えることを特徴とする。【選択図】図１
2007288634.tif 000002
【特許請求の範囲】
【請求項１】
動画データを含むデータストリームを送出する送出手段と、データストリームをデコードしてビデオデータを出力する検査対象のボードと、前記ボードを検査するための検査装置からなるビデオ検査システムであって、
検査装置が、前記ビデオデータに対してスルー処理を含む所定の演算処理を施す演算手段と、演算結果の期待値を格納する記憶手段と、前期演算結果と前記記憶手段から読み出した期待値を比較する比較手段と、比較結果に基づき前記ボードの良否判定を表示する判定表示手段とを備えることを特徴とするビデオ検査システム。
【請求項２】
データストリームが動画データを所定の複数回繰り返し多重されたものであることを特徴とする請求項１記載のビデオ検査システム。
【請求項３】
送出手段から出力されるデータストリームが末尾に達した場合に、データストリームの先頭に戻って出力されることを特徴とする、請求項１に記載のビデオ検査システム。
【発明の詳細な説明】
【技術分野】
【０００１】
本発明は、デジタルＴＶ受信機のビデオデータ検査装置に関するものである。
【背景技術】
【０００２】
ここ数年、デジタルテレビ（ＤＴＶ）受信機が急速に普及しつつある。ＤＴＶ受信機には、受信したＴＳ（トランスポートストリーム）からビデオＥＳ（エレメンタリストリーム）を抽出し、抽出したビデオＥＳをデコードするＤＴＶデコーダボード、あるいはＤＴＶデコーダモジュールが必ず内蔵されている。以降、ＤＴＶデコーダモジュール含め、ＤＴＶデコーダボードをＤＴＶボードと称する。ＤＴＶボードでは、ビデオＥＳをデコードしてベースバンドのデジタルビデオデータを出力する。このデジタルビデオデータの形式として、色差ＹＣｂＣｒ４：４：４フォーマットや４：２：２フォーマット、ＲＧＢフォーマットなどがある。
【０００３】
ＤＴＶボードの動作を検査する手法としては、デジタルビデオデータをアナログ信号に変換して画面に表示させることで、検査員の目視によりチェックすることが一般的だが、検査員が必ず立ち会うことが必要である。
【０００４】
さらにＤＴＶボードの機能としてＭＰＥＧ２デコードがある。ＭＰＥＧ２は、ＤＴＶやＤＶＤで採用されている動画圧縮方式であり、ＤＴＶボードの検査では、圧縮された動画が正しくデコードされているか、をテストすることが必要である。
【０００５】
特許文献１では、検査の自動化を目的としてデジタルＣＲＴ信号の自動検査装置を開示している。図７に特許文献１のデジタルＣＲＴ信号の自動検査装置の構成を示す。
【特許文献１】特開平２−１１８６８９号公報
【発明の開示】
【発明が解決しようとする課題】
【０００６】
特許文献１によれば、シグネーチャー作成回路によって、検査すべきデジタルＣＲＴ信号のシグネーチャーデータが作成され、これがあらかじめ記憶されている期待値データと比較されることにより、デジタルＣＲＴ信号の良否が判定されることで、自動検査が行われるとしている。
【０００７】
しかしながら、特許文献１では、自動検査装置に対して与えるデジタルＣＲＴ信号の画面データの元となる信号の形式や、元となる信号の供給方法について、具体的に言及されていない。さらにＤＴＶボードの検査では、前述したように動画検査が必要であるが、検査装置に動画データが与えられた場合の動画検査の開始方法や検査方法について不明であり、動画検査のための構成としては不十分である、という課題を有していた。
【０００８】
本発明は、上記問題点を解決するためになされたものであり、ＤＴＶボードの動画検査を可能にするビデオ検査システムを提供することを目的とする。
【課題を解決するための手段】
【０００９】
上記課題を解決するために、本発明の請求項１にかかるビデオ検査システムは、動画データを含むデータストリームを送出する送出手段と、データストリームをデコードしてビデオデータを出力する検査対象のボードと、前記ボードを検査するための検査装置からなるビデオ検査システムであって、検査装置が、前記ビデオデータに対して所定の演算処理を施す演算手段と、演算結果の期待値を格納する記憶手段と、前期演算結果と前記記憶手段から読み出した期待値を比較する比較手段と、比較結果に基づき良否判定を表示する判定表示手段とを備えることを特徴とする。
【００１０】
また、本発明の請求項２にかかるビデオ検査システムでは、請求項１記載のビデオ検査システムにおいて、データストリームが動画データを所定の複数回繰り返し多重されたものであることを特徴とする。
【００１１】
また、本発明の請求項３にかかるビデオ検査システムでは、請求項１記載のビデオ検査システムにおいて、送出手段から出力されるデータストリームが末尾に達した場合に、データストリームの先頭に戻って出力されることを特徴とする。
【発明の効果】
【００１２】
本発明のビデオ検査システムは、ストリーム蓄積装置と、変調器と、検査対象となるＤＴＶボードと、演算器、ＲＡＭ、比較器、フラッシュメモリ、判定結果レジスタ、制御部より構成される検査装置と操作端末とで構成し、動画検査に使うデータストリームの構造を動画データの繰り返しにし、さらにストリーム蓄積装置から送出する際に、データストリームの末尾に達した場合に即座に先頭に戻るようにしたから、データストリームのどのポイントで検査を開始しても検査開始が可能で、かつ、ストリームの蓄積装置及び変調器１セットに対し、同時にＮセット（Ｎは自然数）の検査システムを独立に動作させて動画検査を行うことが可能となる、という効果を有する
【発明を実施するための最良の形態】
【００１３】
以下、本発明の実施の形態について、図を用いて説明する。なお、ここで示す実施の形態はあくまでも一例であって必ずしもこの実施の形態に限定されるものではない。
【００１４】
（実施の形態１）
以下に、本発明の実施の形態１にかかるビデオ検査システムについて説明する。図１は本実施の形態１によるビデオ検査システムの構成を示す図である。
【００１５】
ストリーム蓄積装置１０１は、動画検査に用いるデータストリームを蓄積し、送出するもので、例えばＨＤＤ（ハードディスクドライブ）であったり、メモリボードあったりする。ここでデータストリームをデジタル放送で用いられているＭＰＥＧ２トランスポートストリームとし、以降、ＴＳと記載する。
【００１６】
変調器１０２は、前述したＴＳを変調するもので、例えばＢＳ変調器であったり、地上デジタルの変調器であったりする。ＤＴＶボード１０３は、フロントエンド機能、ＭＰＥＧデコード機能を搭載し、ＴＳを受信し、デコードしてベースバンドのデジタルビデオデータを出力するものである。ベースバンドのデジタルビデオデータの形式としては、背景技術でも説明したように、色差ＹＣｂＣｒ４：４：４フォーマットや４：２：２フォーマット、ＲＧＢフォーマットなどがある。
【００１７】
検査装置１０４は、ＤＴＶボード１０３から出力される動画データの検査をするものである。操作端末１０５は、検査装置を制御するもので、例えばＰＣ（Personal Computer）である。検査装置の制御には、例えば、シリアルインタフェースを使えばよい。
【００１８】
次に、検査装置１０４の内部構成について説明する。演算器１００１は、動画の画素データに対して所定の演算を行うものである。演算方式としては、ＣＲＣ（Cyclic Redundancy Check）演算などがあるが、これに限るものではない。また、１つの演算結果を得るために演算を施す範囲として、ビデオ信号の１フレーム分あるいは１ライン分であってもよいし、ビデオ信号がインタレース形式であれば、１フィールド分であってもよい。
【００１９】
ＲＡＭ１００２は、演算結果等を一時的に格納するものである。比較器１００３は、演算結果と、後述するフラッシュメモリに格納された期待値とを比較し、一致する・しないの判定をするものである。フラッシュメモリ１００４は、演算結果の期待値を格納しておくものである。いうまでもなく、期待値は前述した１フィールド、１フレーム、１ラインなどの演算範囲での演算結果である。判定結果レジスタ１００５は、期待値比較の結果を反映するものである。１００６は制御部で、検査装置１０４全体を制御するもので、例えばＣＰＵである。
【００２０】
さらに本発明における特徴的な構成を説明する。
【００２１】
一般的に、検査システムにおいて、変調器１０２は高価であり、検査装置の１セットずつに１対１対応させて使用することは現実的ではなく、図３に示すように、ストリーム蓄積装置１０１と、変調器１０２は１セットに対して検査装置はＮセット（Ｎは自然数）であることが普通である。
【００２２】
また、ＤＴＶボードには、ＭＰＥＧデコーダだけでなく、チューナが搭載されていることも多く、チューナをも含めた検査を行えることが望ましい。
【００２３】
上記のような状況に対応するために、本発明ではＴＳのデータ構造を工夫している。図２に本発明のＴＳのデータ構造を示す。ＴＳには、動画データをＭＰＥＧ２符号化したビデオＥＳが多重される。厳密にいえばＴＳには、ビデオＥＳの他、オーディオＥＳや番組情報等が多重されるが、図２では簡単のため、「動画」と記載している。
【００２４】
本発明の特徴として一定時間（ｔ秒）の動画ストリームを繰り返し多重する。図２では、例として６個多重している。ＴＳはストリーム蓄積装置１０１に格納される。ストリーム蓄積装置１０１からＴＳが出力される際、ＴＳの末尾に達すると、即座に先頭に戻り、出力される。
【００２５】
以上のように構成された、ビデオ検査システムの動作を次に説明する。
【００２６】
検査を始める前に、動画データ上で検査の開始位置となるトリガーデータをまず求める。図２に示すＴＳを一定時間ＤＴＶボードに供給し、ＤＴＶボード１０３でＭＰＥＧデコードされ、出力されたビデオデータに対して、演算器１００１で所定の演算を施し、演算結果のデータをＲＡＭにダンプする。
【００２７】
ダンプされた演算結果のデータから動画検査開始のトリガーとするデータパタン、即ちトリガーパターンを制御部１００６がＲＡＭより抽出し、抽出したトリガーパターンを比較器にセットする。
【００２８】
次に検査のフローについて説明する。図４に本発明の検査フローを示す。
【００２９】
まず、期待値比較する映像のフレーム数を端末より入力し、比較器１００３にセットする（Ｓ１０１）。次に、ＴＳをＤＴＶボードに入力し、ＭＰＥＧデコードされたビデオデータを検査装置に供給する（Ｓ１０２）。そして、演算器１００１でビデオデータに対し所定の演算を行い、トリガーパターンの出現を待つ（Ｓ１０３）。
【００３０】
Ｓ１０３でトリガーパターンが出現したら、比較器１００３で、演算結果とフラッシュメモリに格納された期待値の比較を開始する（Ｓ１０４）。そして、トリガーパターンの出現からの比較フレーム数が、Ｓ１０１で設定したフレーム数に達するまで期待値比較を行う（Ｓ１０５）。
【００３１】
Ｓ１０５で期待値比較が終了すれば、判定結果を判定結果レジスタ１００５にロードする。例えば、判定結果が一致であれば、「０」を、不一致であれば、「１」をロードする（Ｓ１０６）。そして、制御部１００６が判定結果レジスタ１００５をリードして、「０」であれば「ＯＫ」を、「１」であれば「ＮＧ」を操作端末画面上に表示する（Ｓ１０７）。
【００３２】
ここで、ＴＳのデータ構造として、図２のように同一の動画ストリームを繰り返し多重することで、トリガーパターンは繰り返し回数分だけ出現する。従って、タイミング的にＴＳのどの部分からＤＴＶボードに入力されても、ｔ秒以内に必ずトリガーパターンは出現し、期待値比較が開始されることになる。１つの動画の時間ｔ秒は検査そのものに要する時間と、検査が開始されるまでの待ち時間として許容される時間とに応じて設定すればよい。
【００３３】
また、この手法によれば、図３に示すように、ストリームの蓄積装置及び変調器の１セットに対し、同時にＮセットの検査システムを独立に動作させて動画検査を行うことが可能となる。これにより、最小限の設備費用で、最小限の時間での自動動画検査が可能となる。
【００３４】
以上のように、実施の形態１によるビデオ検査システムでは、ストリーム蓄積装置１０１と変調器１０２と、検査対象となるＤＴＶボード１０３と演算器１００１、ＲＡＭ１００２、比較器１００３、フラッシュメモリ１００４、判定結果レジスタ１００５、制御部１００６より構成される検査装置１０４と操作端末１０５とで構成し、動画検査に使うＴＳの構造を図２に示すようにｔ秒の動画データの繰り返しにして、どの動画データにも検査開始のトリガーとなるトリガーデータが存在するようにし、さらにストリーム蓄積装置から送出する際に、ＴＳの末尾に達した場合に即座に先頭に戻るようにしたから、ＴＳのどのポイントで検査を開始してもｔ秒以内に、検査開始が可能で、かつ、ストリームの蓄積装置及び変調器１セットに対し、同時にＮセットの検査システムを独立に動作させてＤＴＶボードのチューナからＭＰＥＧデコーダに対して動画検査を行うことが可能となる。
【００３５】
（実施の形態２）
次に実施の形態２について説明する。図５に本発明の実施の形態２の構成を示す。実施の形態２では、ＤＴＶボードと検査装置の間のビデオインタフェースをＬＶＤＳ（Low Voltage Differential Signaling）インタフェースとする点が実施の形態１と異なる。
【００３６】
図５において、ＤＴＶボード２０３はＬＶＤＳの送信部を含むＤＴＶボードであり、検査装置２０４はＬＶＤＳの受信部を含む検査装置である。ＬＶＤＳの受信部２００１は、ＤＴＶボード２０３より出力された、ＬＶＤＳ信号を受信して、ＬＶＤＳデコードするものである。ＬＶＤＳデコード後は、実施の形態１と同様にベースバンドのデジタルビデオデータであり、演算器１００１に入力される。
【００３７】
なお、検査装置２０４において、上述したＬＶＤＳ以外の動作は実施の形態１と同一なので、説明は省略する。
【００３８】
（実施の形態３）
次に実施の形態３について説明する。図６に本発明の実施の形態３の構成を示す。実施の形態３では、ＤＴＶボードと検査装置の間のビデオインタフェースをＨＤＭＩ（High-Definition Multimedia Interface）インタフェースとする点が実施の形態１と異なる。
【００３９】
図６において、ＤＴＶボード３０３はＨＤＭＩの送信部を含むＤＴＶボードであり、検査装置３０４はＨＤＭＩの受信部を含む検査装置である。ＨＤＭＩの受信部３００１は、ＤＴＶボードより出力された、ＨＤＭＩ信号を受信するものである。ＨＤＭＩ受信後は、実施の形態１と同様にベースバンドのデジタルビデオデータであり、演算器１００１に入力される。
【００４０】
検査装置３０４において、上述したＨＤＭＩ以外の動作は実施の形態１と同一なので、説明は省略する。
【００４１】
なお、上記の各実施の形態の説明では、動画検査について説明したが、本発明のビデオ検査システムは、静止画を用いた検査にも使用することが可能である。
【００４２】
また、実施の形態の説明では、ビデオデータに施す演算処理の範囲を１フレームあるいは、１フィールドあるいは１ラインとしたが、１画素として、画素比較してもかまわない。その場合演算器１００１はスルー処理で構わない。
【００４３】
また、各実施の形態の説明でＤＴＶボードの検査について説明したが、ＤＴＶボード以外にもデジタルビデオインタフェースを有するＡＶ機器のボードの検査も可能であり、例えば、ＤＶＤレコーダ・ＤＶＤプレーヤや、ＰＣ向けのデジタルチューナカード、デジタルビデオカメラ、デジタルスチルカメラのデジタルビデオインタフェースの検査にも用いることが可能である。
【産業上の利用可能性】
【００４４】
本発明にかかるビデオ検査システムはＤＴＶボードの検査設備として有用である。
【図面の簡単な説明】
【００４５】
【図１】本発明の実施の形態１のビデオ検査システムの構成を示すブロック図
【図２】本発明のＴＳのデータ構造を示す図
【図３】１台の変調器とＮ台の検査装置の構成を示す図
【図４】本発明の検査フローを示すフローチャート
【図５】本発明の実施の形態２のビデオ検査システムの構成を示すブロック図
【図６】本発明の実施の形態３のビデオ検査システムの構成を示すブロック図
【図７】従来例の構成を示すブロック図
【符号の説明】
【００４６】
１０１    ストリーム蓄積装置
１０２    変調器
１０３    ＤＴＶボード
１０４    検査装置
１０５    操作端末
１００１    演算器
１００２    ＲＡＭ
１００３    比較器
１００４    フラッシュメモリ
１００５    判定結果レジスタ
１００６    制御部
２０１    分配器
２０３    ＬＶＤＳ送信部を有するＤＴＶボード
２０４    ＬＶＤＳ受信部を有する検査装置
２００１    ＬＶＤＳ受信部
３０３    ＨＤＭＩ送信部を有するＤＴＶボード
３０４    ＨＤＭＩ受信部を有する検査装置
３００１    ＨＤＭＩ受信部
【図１】
2007288634.tif 000003
【図２】
2007288634.tif 000004
【図３】
2007288634.tif 000005
【図４】
2007288634.tif 000006
【図５】
2007288634.tif 000007
【図６】
2007288634.tif 000008
【図７】
2007288634.tif 000009